(57)【特許請求の範囲】
【請求項１】
回転されるべきディスクの中心部に形成された中心孔に嵌まり込むことで当該ディスクの回転における位置決めを行う円形の位置決め部を備えると共に、前記ディスクを回転させる回転モータの回転中心に対して偏芯した中心を有するターンテーブルにおいて、
前記回転モータの回転中心に対して当該ターンテーブルの中心と反対方向にある前記位置決め部の外縁の位置であって前記回転モータの回転中心を中心として前記ディスクの外周方向に開いた予め設定された特定角度をなす位置に夫々設けられ、前記位置決め部が前記中心孔に嵌め込まれたとき当該中心孔の内壁を当該外周方向に付勢する二つの付勢手段を備え、
前記特定角度は、４５度より大きく９０度より小さいことを特徴とするターンテーブル。
【請求項２】
請求項１に記載のターンテーブルにおいて、
前記回転モータの回転中心を通る前記特定角度の二等分線と、前記回転モータの回転中心と前記ターンテーブルの中心とを結んだ直線と、が一致する前記外縁の位置に各前記付勢手段が設けられていることを特徴とするターンテーブル。
【請求項３】
請求項１又は２に記載のターンテーブルにおいて、
前記特定角度は６０度であることを特徴とするターンテーブル。
【請求項４】
請求項１から３のいずれか一項に記載のターンテーブルと、
前記回転モータと、
を備えることを特徴とするディスク回転装置。
【発明の詳細な説明】
【０００１】
【発明の属する技術分野】
本発明は、ターンテーブル及びディスク回転装置の技術分野に属し、より詳細には、光ディスク等のディスクを載置・固定して回転させるためのターンテーブル及び当該ターンテーブルを含むディスク回転装置の技術分野に属する。
【０００２】
【従来の技術】
近年、ＣＤ（Compact  Disc）又はＤＶＤ（Digital  Versatile  Disc）等のディスク状記録媒体としての光ディスクが広く一般化しているが、この光ディスクに対して情報を記録又は再生する場合には、当該光ディスクを予め設定された回転数で回転させつつその情報記録面に情報の記録又は再生用の光ビームが照射される。
【０００３】
そして、この回転のために、光ディスクを円形のターンテーブル上に載置・固定し、この状態で当該ターンテーブルをモータ等の回転駆動部により回転することが通常行われている。
【０００４】
ここで、従来のターンテーブルの構造及び機能について、図６を用いて説明する。なお、図６は従来のターンテーブルを光ディスクが載置される方向から見た上面図（図６（ａ））及び当該ターンテーブルに実際に光ディスクが載置された状態を示す上面模式図（図６（ｂ））である。
【０００５】
図６（ａ）に示すように、従来のターンテーブルＴＢ’は、上方（図６（ａ）手前側）から載置されて来た光ディスクＤＫを支持するテーブル本体ＴＢＢ’と、図６（ｂ）に示すように光ディスクＤＫの内周部に形成されているセンターホールＳＨ内に嵌まり込むことにより当該光ディスクＤＫの回転における位置決めを行うセンターコーンＳＣ’と、により構成されている。
【０００６】
そして、当該センターコーンＳＣ’には、図６（ｂ）に示すように、光ディスクＤＫのセンターホールＳＨがセンターコーンＳＣ’に嵌まり込むことにより当該光ディスクＤＫが載置されたとき、当該センターホールＳＨの内壁を光ディスクＤＫの外周側に付勢することにより当該光ディスクＤＫをターンテーブルＴＢ’上に位置決めする板バネＢＮが設けられている。
【０００７】
このとき、当該板バネＢＮがセンターホールＳＨの内壁を光ディスクＤＫの外周側に付勢力Ｆにより付勢することで、例えば図６（ｂ）に示すようにセンターコーンＳＣ’よりも大きいセンターホールＳＨの直径を有する光ディスクＤＫがターンテーブルＴＢ’上に載置されたとしても、当該光ディスクＤＫの回転中心位置とターンテーブルＴＢ’を回転させるモータの回転軸の中心位置とのずれを抑制して光ディスクＤＫを回転させることができるのである。
【０００８】
また、一般に光ディスクＤＫにおけるセンターホールＳＨの直径の値にはある程度のばらつきが含まれることが許容されており、更にセンターコーンＳＣ’の直径はその許容範囲内の最小値とされているのであるが、上述したように板バネＢＮがセンターホールＳＨの内壁を光ディスクＤＫの外周側に付勢力Ｆにより付勢することにより当該光ディスクＤＫの位置決めが行われることで、当該センターホールＳＨの直径値における最大値と最小値との間で位置決め誤差を平均化した上で光ディスクＤＫを固定することができるのである。
【０００９】
【発明が解決しようとする課題】
しかしながら、上述した従来のターンテーブルＴＢ’の構造によると、センターホールＳＨの内壁を光ディスクＤＫの外周側に付勢する板バネＢＮが一つしか形成されていないため、図６（ｂ）に示すように当該板バネＢＮによる付勢力Ｆ及び当該付勢力の反作用ＦＶが発生する方向（図６（ｂ）中実線矢印で示す。）には光ディスクＤＫが目的通りに位置決めされるものの、当該方向に夫々垂直な方向（図６（ｂ）中破線両矢印で示す。）においては光ディスクＤＫが確実には位置決めされず、当該破線矢印の方向に働く外力により光ディスクＤＫの位置が当該方向にずれることで光ディスクＤＫの回転中心位置とターンテーブルＴＢ’の回転中心位置とが大きくずれてしまうという問題点があった。
【００１０】
また、当該方向における位置決め状態が不安定になることで、光ディスクＤＫの回転中において当該光ディスクＤＫががたつくことにより振動を発生させてしまう場合もあり得るという問題点もあった。
【００１１】
そこで、本発明は、上記の各問題点に鑑みて為されたもので、その課題は、光ディスクを正確且つ確実に緩みなく載置・回転させることで、当該ディスクに対する正確な処理を実行させることが可能なターンテーブル及び当該ターンテーブルを含むディスク回転装置を提供することにある。
【００１２】
【課題を解決するための手段】
上記の課題を解決するために、請求項１に記載の発明は、回転されるべきディスクの中心部に形成されたセンターホール等の中心孔に嵌まり込むことで当該ディスクの回転における位置決めを行う円形のセンターコーン等の位置決め部を備えると共に、前記ディスクを回転させる回転モータの回転中心に対して偏芯した中心を有するターンテーブルにおいて、前記回転モータの回転中心に対して当該ターンテーブルの中心と反対方向にある前記位置決め部の外縁の位置であって前記回転モータの回転中心を中心として前記ディスクの外周方向に開いた予め設定された特定角度をなす位置に夫々設けられ、前記位置決め部が前記中心孔に嵌め込まれたとき当該中心孔の内壁を当該外周方向に付勢する二つの板バネ等の付勢手段を備え、前記特定角度は、４５度より大きく９０度より小さいように構成される。
【００１３】
よって、回転モータの回転中心に対してターンテーブルの中心と反対方向にある位置決め部の外縁の位置であって回転モータの回転中心を中心としてディスクの外周方向に開いた特定角度をなす位置に夫々設けられた二つの付勢手段が、位置決め部が中心孔に嵌め込まれたときその内壁を外周方向に付勢するので、ディスクがターンテーブル上に載置されたときのがたつきの抑制と回転モータの回転中心に対するディスクの位置決め誤差の平均化とを両立することができると共に、ディスクのターンテーブル上への載置時において位置決め部を円滑且つ正確にディスクの中心孔へ嵌め込むことができる。
また、特定角度が４５度より大きく９０度より小さいことによって、ディスクがターンテーブル上に載置されたときのがたつきの抑制と回転モータの回転中心に対するディスクの正確な位置決めとをより効果的に両立することができると共に、ディスクのターンテーブル上への載置時において位置決め部をより円滑且つ正確にディスクの中心孔へ嵌め込むことができる。
【００１４】
上記の課題を解決するために、請求項２に記載の発明は、請求項１に記載のターンテーブルにおいて、前記回転モータの回転中心を通る前記特定角度の二等分線と、前記回転モータの回転中心と前記ターンテーブルの中心とを結んだ直線と、が一致する前記外縁の位置に各前記付勢手段が設けられている。
【００１５】
よって、二つの付勢手段が、ターンテーブルの偏芯方向と反対方向に中心孔の内壁を付勢するので、より安定してディスクを載置することができる。
【００１８】
上記の課題を解決するために、請求項３に記載の発明は、請求項１又は２に記載のターンテーブルにおいて、前記特定角度は６０度であるように構成される。
【００１９】
よって、ディスクがターンテーブル上に載置されたときのがたつきの抑制と回転モータの回転中心に対するディスクの正確な位置決めとを最も効果的に両立することができると共に、ディスクのターンテーブル上への載置時において位置決め部を最も円滑且つ正確にディスクの中心孔へ嵌め込むことができる。
【００２０】
上記の課題を解決するために、請求項４に記載の発明は、請求項１から３のいずれか一項に記載のターンテーブルと、前記回転モータと、を備える。
【００２１】
よって、がたつき無く且つ正確な中心位置でもってディスクを回転させることができる。
【００２２】
【発明の実施の形態】
次に、本発明に好適な実施の形態について、図１及び図２を用いて説明する。
【００２３】
なお、以下に説明する実施の形態は、光学的に情報が記録又は再生される光ディスクを載置・固定して回転させるための本発明に係るターンテーブルを含むディスク回転装置に対して本発明を適用した実施の形態である。
【００２４】
また、図１（ａ）は実施形態に係るディスク回転装置を光ディスクが装填される方向からみた上面図であり、図１（ｂ）は図１（ａ）中Ａ−Ａ’部の縦断面拡大図である。
【００２５】
図１（ａ）に示すように、実施形態に係るディスク回転装置Ｄは、ターンテーブルＴＢと、当該ターンテーブルＴＢを回転させるための駆動素子Ｄ１及びＤ２並びに外部接続用のコネクタＣＮを含む基板ＢＰと、により構成されている。
【００２６】
更に、ターンテーブルＴＢは、上方（図１（ａ）手前側）から載置されて来た光ディスクＤＫを支持するテーブル本体ＴＢＢと、図６（ｂ）に示すセンターホールＳＨ内に嵌まり込むことにより当該光ディスクＤＫの回転における位置決めを行う位置決め部としてのセンターコーンＳＣと、により構成されている。
【００２７】
そして、当該センターコーンＳＣには、図１（ａ）に示すように光ディスクＤＫにおける中心孔としてのセンターホールＳＨがセンターコーンＳＣに嵌まり込むことにより当該光ディスクＤＫが載置されたとき、当該センターホールＳＨの内壁を光ディスクＤＫの外側に付勢することにより当該光ディスクＤＫをターンテーブルＴＢ上に位置決めする付勢手段としての二つの板バネＢＮ１及びＢＮ２（当該板バネＢＮ１及びＢＮ２における付勢力は略等しくされている。）が設けられており、後述するモータにおける軸Ｊの中心からこれら二つの板バネＢＮ１及びＢＮ２を見込む角度は６０°とされている。
【００２８】
このとき、当該板バネＢＮ１及びＢＮ２がセンターホールＳＨの内壁を光ディスクＤＫの外周側に相互に略等しい付勢力で付勢することで、例えば上記図６（ｂ）に示すようにセンターコーンＳＣよりも大きいセンターホールのＳＨの直径を有する光ディスクＤＫがターンテーブルＴＢ上に載置されたとしても、当該光ディスクＤＫの回転中心位置とターンテーブルＴＢを回転させるモータの回転軸の中心位置とのずれを最小限に抑えて光ディスクＤＫを回転させることができるのである。
【００２９】
また、テーブル本体ＴＢＢの外周部全周には、載置された光ディスクが回転中に滑ることによりターンテーブルＴＢの回転速度と光ディスクの回転速度とが一致しないことを防止するためのゴム部Ｇが形成されている。
【００３０】
なお、光ディスクＤＫをターンテーブルＴＢに固定するに当たっては、ターンテーブルＴＢ上に光ディスクＤＫが載置された状態で図示しない公知構造のクランプ部が当該載置された光ディスクＤＫの更に上方からセンターコーンＳＣに被さることで、光ディスクＤＫをターンテーブルＴＢと当該クランプ部で挟み込むことにより当該光ディスクＤＫが固定されることとなる。
【００３１】
次に、実施形態のディスク回転装置Ｄの細部構造について、図１（ｂ）を用いて更に説明する。
【００３２】
図１（ｂ）に示すように、ターンテーブルＴＢの中心部裏側には、当該ターンテーブルＴＢの回転を支持するための軸Ｊが基板ＢＰの方向に向かって固定されており、基板ＢＰに基部ＢＳを介して固定された軸受けＪＵにこの軸Ｊが嵌め込まれることで、ターンテーブルＴＢ全体が基板ＢＰに対して回転自在に支持されている。
【００３３】
更に、ターンテーブルＴＢの裏側における軸Ｊ以外の領域には、当該ターンテーブルＴＢの裏側外周を囲って形成された本体Ｂにより空洞が形成されており、当該空洞内にターンテーブルＴＢを回転させるためのモータが配置されている。より具体的には、当該モータは、基部ＢＳに固定されているコアＣの周囲に導線を巻き付けることで構成されたモータコイルＭＣが、軸受けＪＵを中心とした基部ＢＳの全周囲に放射状に複数配置されることにより形成されている。そして、各モータコイルＭＣに流れる電流を上述した駆動素子Ｄ１及びＤ２等により時間的に制御することで発生する磁界と、本体Ｂの内側全周に渡って固定されている永久磁石ＭＧにより発生する磁界と、の相互作用によりターンテーブルＴＢが回転することとなる。
【００３４】
このとき、上述した板バネＢＮ１（及びＢＮ２）は、基部ＢＮＢがセンターコーンＳＣの裏側に固定されており、光ディスクＤＫがテーブル本体ＴＢＢに載置されたときセンターホールＳＨの内壁ＳＨＨを光ディスクＤＫの外周側に付勢することで当該光ディスクＤＫの位置決めを行う。
【００３５】
なお、図１（ｂ）に示すように、センターコーンＳＣの中心位置と軸Ｊの回転中心位置とは一致しない形状で当該軸ＪがターンテーブルＴＢに固定されている。これは、上述したようにターンテーブルＴＢに載置される光ディスクＤＫにおけるセンターホールＳＨの直径については光ディスクＤＫ一枚毎にある程度のばらつきを含むことが規格上許容されており、当該ばらつき範囲内の直径値が規格上で最も大きい場合でも光ディスクＤＫの回転中心位置と軸Ｊの中心軸の位置とのずれが最小限に抑制されると共に当該直径値が最も大きい場合と最も小さい場合との間で当該ずれの値が平均化されるように、当該ばらつきを吸収すべく従来から設けられているものである。
【００３６】
また、実施形態のターンテーブルＴＢにおいては、センターコーンＳＣが光ディスクＤＫのセンターホールＳＨに対してスムーズに嵌め込まれるように、センターコーンＳＣの中心位置と軸Ｊの回転中心位置とのずれの方向を、図１（ｂ）に示すように軸Ｊの中心から板バネＢＮ１及びＢＮ２を見込んだ角度の中心線の反対方向となるように設定している。
【００３７】
次に、上述した二つの板バネＢＮ１及びＢＮ２の機能について、更に図２を用いて説明する。なお、図２は実施形態のターンテーブルＴＢを光ディスクＤＫが載置される方向から見た上面図（図２（ａ））及び当該ターンテーブルＴＢに実際に光ディスクＤＫが載置された状態を示す上面模式図（図２（ｂ））である。
【００３８】
図２（ａ）に示すように、実施形態のターンテーブルＴＢには、相互に軸Ｊの中心に対して６０°の角度を持って二つの板バネＢＮ１及びＢＮ２が形成されているのであるが、このように板バネＢＮ１及びＢＮ２が６０°の角度を有している場合、図２（ｂ）に示すようにセンターコーンＳＣよりも大きいセンターホールのＳＨの直径を有する光ディスクＤＫがターンテーブルＴＢ上に載置されたときには、それぞれの付勢力Ｆの分力Ｆ’及びＦ”が図２（ｂ）の破線両方向に発生することとなり、結果としてこの二つの分力Ｆ’及びＦ”により光ディスクＤＫが図２中左右方向にも位置決めされる。一方、図２（ｂ）の上下方向には付勢力Ｆの当該上下方向の二つの分力と当該分力の反作用ＦＶとが作用していることとなるから、結局、光ディスクＤＫがセンターコーンＳＣに対して図２（ｂ）の上下方向と左右方向の両方に位置決めされることとなる。
【００３９】
【実施例】
次に、上述した構造において、軸Ｊの中心から板バネＢＮ１及びＢＮ２を見込んだ角度を６０°とした理由について、図３乃至図５を用いて説明する。
【００４０】
なお、図３は当該角度を設定するための実験に用いられた三種類のセンターコーンの形状を示す上面図であり、図４は当該実験を説明するための模式図であり、図５は当該実験の結果を示す図である。
【００４１】
（Ｉ）光ディスクの装填実験
始めに、実際の光ディスクの装填機構を用いて三種類のターンテーブル夫々に光ディスクを装填する装填実験について、図３及び図４を用いて説明する。
【００４２】
なお、当該装填実験及び後述する位置決め実験においては、図３に一部を示すように、軸Ｊの中心から板バネＢＮ１及びＢＮ２を見込んだ角度を夫々４５°、６０°、９０°及び１２０°とした場合について、夫々に上述した従来の装填機構を用いて光ディスクＤＫをターンテーブルＴＢ上に装填して各実験を行った。
【００４３】
また、図３に示す三つの場合において、センターコーンＳＣの周囲にある一点鎖線及び二点鎖線は、例えばディスク回転装置Ｄがコンパクトディスク（規格上のセンターホールＳＨの直径は１５ミリメートル）用のディスク回転装置Ｄである場合において、上述した当該直径のばらつきにより、当該直径が１５．０７５ミリメートルである場合（図３一点鎖線）及び当該直径が１５．１５０ミリメートルである場合（図３二点鎖線）の夫々について光ディスクＤＫが装填されたときの板バネＢＮ１及びＢＮ２の状態を示すものである。
【００４４】
先ず、装填実験の結果を下記表１に示す。このとき、表１は、以下に示す各条件下で、上述した従来の装填機構を用いて光ディスクＤＫをターンテーブルＴＢ上に装填する実験を１０回づつ行った結果、装填が失敗した回数を（失敗回数）／（実験回数）の表記により示している。
【００４５】
【表１】
0004351399.tif 000002
なお、当該表１において、「手前」とは、図４に示すように、板バネＢＮ１と板バネＢＮ２との中心が光ディスクＤＫが装填されて来る方向に向いていると共に上述したクランプ部が図４中上方向からセンターコーンＳＣに被さるようにして光ディスクＤＫを位置決めする場合を示し、「右９０°」とは、板バネＢＮ１と板バネＢＮ２の中心が図４に示す状態から反時計回りに９０°回転していると共にクランプ部により同様に光ディスクＤＫを位置決めする場合を示し、「奥」とは、板バネＢＮ１と板バネＢＮ２の中心が更に反時計回りに９０°回転していると共にクランプ部により同様に光ディスクＤＫを位置決めする場合を示し、「左９０°」とは、板バネＢＮ１と板バネＢＮ２の中心が更に反時計回りに９０°（図４の状態からは時計回りに９０°）回転していると共にクランプ部により同様に光ディスクＤＫを位置決めする場合を示す。
【００４６】
当該表１に示すように、実験を行った１０回の全てについてターンテーブルＴＢへの装填が成功したのは、軸Ｊの中心から板バネＢＮ１及びＢＮ２を見込んだ角度が９０°より小さい場合のみであった。この実験結果により、光ディスクＤＫの装填の観点からは当該角度が９０°より小さいことが必要であることが判明した。
【００４７】
なお、参考までに、板バネが一枚の場合については、表１最下段に示すように全ての装填条件下で良好に装填が為されることが判った。
【００４８】
（II）光ディスクの位置決め実験
次に、上記装填実験と同様に軸Ｊの中心から板バネＢＮ１及びＢＮ２を見込んだ角度を夫々４５°、６０°、９０°及び１２０°とした場合について、ターンテーブルＴＢ上に光ディスクＤＫが正常に装填された状態で、モータの回転中心（すなわち、軸Ｊの中心軸）の位置と光ディスクＤＫの中心の位置とがどれだけずれるかについて検証した。その結果を図５に示す。なお、図５において「奥」、「手前」、「右」及び「左」は、表１における「奥」、「手前」、「右９０°」及び「左９０°」の場合に夫々相当しており、更に図５の縦軸は、当該ずれ量を示している。
【００４９】
図５から明らかなように、当該ずれ量がいずれの条件下でも平均的に低いのは、軸Ｊの中心から板バネＢＮ１及びＢＮ２を見込んだ角度が４５°より大きい場合であることが判る。従って、装填後のモータにおける回転中心の位置と光ディスクＤＫの中心の位置とのずれの観点からは、当該角度は４５°より大きければよいことが判った。
【００５０】
以上の二つの実験結果により、実施形態のターンテーブルＴＢにおいては、軸Ｊの中心から板バネＢＮ１及びＢＮ２を見込んだ角度を６０°としているのである。
【００５１】
以上説明したように、実施形態のターンテーブルＴＢを含むディスク回転装置Ｄの構造によれば、センターコーンＳＣの外周部に二つの板バネＢＮ１及びＢＮ２を設けたので、光ディスクＤＫがターンテーブルＴＢ上に載置されたときのがたつきの抑制とモータの回転中心に対する光ディスクＤＫの位置決め誤差の平均化とを両立することができると共に、光ディスクＤＫのターンテーブルＴＢ上への載置時においてセンターコーンＳＣを円滑且つ正確に光ディスクＤＫのセンターホールＳＨへ嵌め込むことができる。
【００５２】
また、二つの板バネＢＮ１及びＢＮ２が、ターンテーブルＴＢの偏芯方向と反対方向にセンターホールＳＨの内壁ＳＨＨを付勢するので、より安定して光ディスクＤＫを載置することができる。
【００５３】
更に、軸Ｊの中心から板バネＢＮ１及びＢＮ２を見込んだ角度を６０°であるので、光ディスクＤＫがターンテーブルＴＢ上に載置されたときのがたつきの抑制とモータの回転中心に対する光ディスクＤＫの正確な位置決めとをより効果的に両立することができると共に、光ディスクＤＫのターンテーブルＴＢ上への載置時においてセンターコーンＳＣをより円滑且つ正確に光ディスクＤＫの中心孔へ嵌め込むことができる。
【００５４】
なお、上述した実験結果から明らかなように、軸Ｊの中心から板バネＢＮ１及びＢＮ２を見込んだ角度については、６０°に限られるものではなく、４５°より大きく９０°より小さい角度であれば、いずれの角度であっても実施形態のターンテーブルＴＢと同様の効果を奏することができる。
【００５５】
更に、上述した実施形態においては、光学的に情報の記録又は再生が行われる光ディスクＤＫを載置・固定する場合について本発明を適用したが、これ以外に、本発明は、ディスク状の記録媒体であれば、磁気的な記録／再生或いは光磁気的な記録／再生が行われるディスク状記録媒体を載置・固定する場合に対して広く適用することができる。
【００５６】
【発明の効果】
以上説明したように、請求項１に記載の発明によれば、回転モータの回転中心に対してターンテーブルの中心と反対方向にある位置決め部の外縁の位置であって回転モータの回転中心を中心としてディスクの外周方向に開いた特定角度をなす位置に夫々設けられた二つの付勢手段が、位置決め部が中心孔に嵌め込まれたときその内壁を外周方向に付勢するので、ディスクがターンテーブル上に載置されたときのがたつきの抑制と回転モータの回転中心に対するディスクの位置決め誤差の平均化とを両立することができると共に、ディスクのターンテーブル上への載置時において位置決め部を円滑且つ正確にディスクの中心孔へ嵌め込むことができる。
【００５７】
従って、正確且つ確実に緩みなくディスクが載置されて回転されることで、当該ディスクに対する正確な処理を実行させることができる。
また、請求項１に記載の発明によれば、特定角度が４５度より大きく９０度より小さいので、ディスクがターンテーブル上に載置されたときのがたつきの抑制と回転モータの回転中心に対するディスクの正確な位置決めとをより効果的に両立することができると共に、ディスクのターンテーブル上への載置時において位置決め部をより円滑且つ正確にディスクの中心孔へ嵌め込むことができる。
【００５８】
請求項２に記載の発明によれば、請求項１に記載の発明の効果に加えて、二つの付勢手段がターンテーブルの偏芯方向と反対方向に中心孔の内壁を付勢するので、より安定してディスクを載置することができる。
【００６０】
請求項３に記載の発明によれば、請求項１又は２に記載の発明の効果に加えて、特定角度が６０度であるので、ディスクがターンテーブル上に載置されたときのがたつきの抑制と回転モータの回転中心に対するディスクの正確な位置決めとを最も効果的に両立することができると共に、ディスクのターンテーブル上への載置時において位置決め部を最も円滑且つ正確にディスクの中心孔へ嵌め込むことができる。
【００６１】
請求項４に記載の発明によれば、がたつき無く且つ正確な中心位置でもってディスクを回転させることができる。
【図面の簡単な説明】
【図１】実施形態のディスク回転装置の構造を示す図であり、（ａ）は当該ディスク回転装置を光ディスクが装填される方向からみた上面図であり、（ｂ）は（ａ）中Ａ−Ａ’部の縦断面拡大図である。
【図２】実施形態のターンテーブルの機能を説明する図であり、（ａ）は当該ターンテーブルを光ディスクが載置される方向から見た上面図であり、（ｂ）は当該ターンテーブルに実際に光ディスクが載置された状態を示す上面模式図である。
【図３】実施例の角度設定実験に用いられたセンターコーンの形状を示す上面図である。
【図４】実施例の角度設定実験を説明するための模式図である。
【図５】実施例の角度設定実験の結果を示す図である。
【図６】従来のターンテーブルの機能を説明する図であり、（ａ）は当該ターンテーブルを光ディスクが載置される方向から見た上面図であり、（ｂ）は当該ターンテーブルに実際に光ディスクが載置された状態を示す上面模式図である。
【符号の説明】
Ｄ…ディスク回転装置
ＴＢ、ＴＢ’…ターンテーブル
ＤＫ…光ディスク
ＴＢＢ、ＴＢＢ’…テーブル本体
ＳＨ…センターホール
ＳＣ、ＳＣ’…センターコーン
ＢＮ、ＢＮ１、ＢＮ２…板バネ
Ｆ…付勢力
ＦＶ…反作用
Ｄ１、Ｄ２…駆動素子
ＣＮ…コネクタ
ＢＰ…基板
Ｇ…ゴム部
Ｊ…軸
ＢＳ…基部
ＪＵ…軸受け
Ｂ…本体
ＢＮＢ…基部
Ｃ…コア
ＭＣ…モータコイル
ＭＧ…永久磁石
ＳＨＨ…内壁
Ｆ’、Ｆ”…分力
【図１】
0004351399.tif 000003
【図２】
0004351399.tif 000004
【図３】
0004351399.tif 000005
【図４】
0004351399.tif 000006
【図５】
0004351399.tif 000007
【図６】
0004351399.tif 000008